(57)【要約】【課題】車輪のグリップ性能が低下した状態で減速度の増加により不安定な挙動が発生すると予測した運転者に対し、減速度の操作を能動的に行いやすくさせることが可能な、制駆動力制御装置及び制駆動力制御方法を提供する。【解決手段】制駆動力操作子の操作量を検出し、検出した操作量が未操作の状態から所定操作量未満である制動範囲では、検出した操作量の増加に応じて制動力指令値を予め設定した初期制動力指令値から減少させ、検出した操作量が所定操作量以上である駆動範囲では、所定操作量と検出した操作量との偏差に応じた駆動力指令値を設定し、車輪のグリップ性能に応じた値である車輪グリップ値を検出し、検出した車輪グリップ値が予め設定した車輪グリップ閾値未満となると、車輪グリップ値と車輪グリップ閾値との偏差が大きいほど、制動範囲で初期制動力指令値を小さく補正する。【選択図】図１５
2015098224.tif 000002
【特許請求の範囲】
【請求項１】
制駆動力操作子の操作量に応じて車両に発生させる制動力の指令値である制動力指令値または駆動力の指令値である駆動力指令値を設定する制駆動力制御装置であって、
前記制駆動力操作子の操作量を検出する操作子操作量検出部と、
前記操作子操作量検出部が検出した操作量が未操作の状態から所定操作量未満である制動範囲では、前記検出した操作量の増加に応じて前記制動力指令値を予め設定した初期制動力指令値から減少させ、前記検出した操作量が前記所定操作量以上である駆動範囲では、前記所定操作量と検出した操作量との偏差に応じた前記駆動力指令値を設定する制駆動力制御部と、
車輪のグリップ性能に応じた値である車輪グリップ値を検出する車輪グリップ値検出部と、
前記車輪グリップ値検出部が検出した車輪グリップ値に応じて、前記制動範囲で前記初期制動力指令値を補正する初期制動力指令値補正部と、を備え、
前記初期制動力指令値補正部は、前記車輪グリップ値検出部が検出した車輪グリップ値が予め設定した車輪グリップ閾値未満となると、前記検出した車輪グリップ値と前記車輪グリップ閾値との偏差が大きいほど、前記初期制動力指令値を小さく補正することを特徴とする制駆動力制御装置。
【請求項２】
前記制駆動力制御部は、前記操作子操作量検出部が検出した操作量が前記制動範囲内で前記初期制動力指令値補正部が前記初期制動力指令値を小さく補正すると、前記操作子操作量検出部が検出した操作量が増加した時点で、前記小さく補正した初期制動力指令値に応じて前記制動力指令値を設定することを特徴とする請求項１に記載した制駆動力制御装置。
【請求項３】
前記制駆動力制御部は、前記操作子操作量検出部が検出した操作量が前記制動範囲内で前記初期制動力指令値補正部が前記初期制動力指令値を小さく補正すると、前記操作子操作量検出部が検出した操作量が減少した時点で、前記小さく補正した初期制動力指令値に応じて前記制動力指令値を設定することを特徴とする請求項１または請求項２に記載した制駆動力制御装置。
【請求項４】
前記制駆動力制御部は、前記操作子操作量検出部が検出した操作量が前記制動範囲内で一定値に維持された状態で前記初期制動力指令値補正部が前記初期制動力指令値を小さく補正すると、前記操作子操作量検出部が検出した操作量が減少して補正前の初期制動力指令値に応じた操作量から前記小さく補正した初期制動力指令値に応じた操作量となるまでは、前記車両に発生させる制動力を維持するように前記制動力指令値を設定することを特徴とする請求項１から請求項３のうちいずれか１項に記載した制駆動力制御装置。
【請求項５】
前記初期制動力指令値補正部は、前記車輪グリップ値検出部が検出した車輪グリップ値が前記車輪グリップ閾値未満となった時点で、前記操作子操作量検出部が検出した操作量に応じて設定する制動力指令値が前記小さく補正した初期制動力指令値に応じて設定する制動力指令値を超えていると、前記初期制動力指令値を保持することを特徴とする請求項１から請求項４のうちいずれか１項に記載した制駆動力制御装置。
【請求項６】
前記車両に発生する車体の横方向への加速度を検出する車幅方向加速度検出部を備え、
前記車輪グリップ値検出部は、前記車幅方向加速度検出部が検出した加速度に基づいて、前記車輪グリップ値を検出することを特徴とする請求項１から請求項５のうちいずれか１項に記載した制駆動力制御装置。
【請求項７】
前記車両の車輪のスリップ角の変化量に対する前記車輪の横力の変化率であるμ勾配を検出するμ勾配検出部を備え、
前記車輪グリップ値検出部は、前記μ勾配検出部が検出したμ勾配に基づいて、前記車輪グリップ値を検出することを特徴とする請求項１から請求項５のうちいずれか１項に記載した制駆動力制御装置。
【請求項８】
前記車両に発生する車体の横方向への加速度を検出する車幅方向加速度検出部と、
前記車両の車輪のスリップ角の変化量に対する前記車輪の横力の変化率であるμ勾配を検出するμ勾配検出部と、を備え、
前記車輪グリップ値検出部は、前記車幅方向加速度検出部が検出した加速度と、前記μ勾配検出部が検出したμ勾配と、に基づいて、前記車輪グリップ値を検出することを特徴とする請求項１から請求項５のうちいずれか１項に記載した制駆動力制御装置。
【請求項９】
制駆動力操作子の操作量に応じて車両に発生させる制動力の指令値である制動力指令値または駆動力の指令値である駆動力指令値を設定する制駆動力制御方法であって、
前記制駆動力操作子の操作量を検出し、
前記検出した操作量が未操作の状態から所定操作量未満である制動範囲では、前記検出した操作量の増加に応じて前記制動力指令値を予め設定した初期制動力指令値から減少させ、前記検出した操作量が前記所定操作量以上である駆動範囲では、前記所定操作量と検出した操作量との偏差に応じた前記駆動力指令値を設定し、
車輪のグリップ性能に応じた値である車輪グリップ値を検出し、
前記検出した車輪グリップ値が予め設定した車輪グリップ閾値未満となると、前記検出した車輪グリップ値と前記車輪グリップ閾値との偏差が大きいほど、前記制動範囲で前記初期制動力指令値を小さく補正することを特徴とする制駆動力制御方法。
【発明の詳細な説明】
【技術分野】
【０００１】
本発明は、一つの制駆動力操作子に対する操作により車両の制動力及び駆動力を制御する、制駆動力制御装置及び制駆動力制御方法に関する。
【背景技術】
【０００２】
従来、運転者による一つの制駆動力操作子に対する操作（アクセル操作）により車両の制動力及び駆動力を制御することで、車両に発生する前後方向への加速度（加速度及び減速度）を制御する技術として、例えば、特許文献１に記載されている技術がある。
特許文献１に記載されている技術では、運転者の操作により変化した制駆動力操作子（ペダル）の開度に応じて、目標加減速度を設定する。さらに、設定した目標加減速度に基づいてスロットルバルブの開度を制御することにより、車両に発生する前後方向への加速度を制御する。
【先行技術文献】
【特許文献】
【０００３】
【特許文献１】特開２０００−２０５０１５号公報
【発明の概要】
【発明が解決しようとする課題】
【０００４】
しかしながら、特許文献１に記載されている技術では、旋回走行時に横方向への加速度が増加した状態等、車輪のグリップ性能が低下した状態では、運転者が、減速度の増加により不安定な挙動が発生すると予測する場合がある。このため、運転者が、減速度の操作を能動的に行い難くなるという問題が発生するおそれがある。
本発明は、上記のような問題点に着目してなされたもので、減速度の増加により不安定な挙動が発生すると予測した運転者に対し、減速度の操作を能動的に行いやすくさせることが可能な、制駆動力制御装置及び制駆動力制御方法を提供することを目的とする。
【課題を解決するための手段】
【０００５】
上記課題を解決するために、本発明は、車輪のグリップ性能に応じた値である車輪グリップ値を検出する。さらに、検出した車輪グリップ値が予め設定した車輪グリップ閾値未満となると、車輪グリップ値と車輪グリップ閾値との偏差が大きいほど、所定操作量未満の制動範囲で予め設定した初期制動力指令値を小さく補正する。
ここで、所定操作量は、制駆動力操作子の操作量が所定操作量以上である駆動範囲では、所定操作量と検出した制駆動力操作子の操作量との偏差に応じた駆動力指令値を設定するための閾値であり、予め設定する。これに加え、所定操作量は、制駆動力操作子の操作量が未操作の状態から所定操作量未満である制動範囲では、制駆動力操作子の操作量の増加に応じて制動力指令値を予め設定した初期制動力指令値から減少させるための閾値である。また、初期制動力指令値は、制駆動力操作子の操作量が未操作の状態で、車両に発生させる制動力の指令値である制動力指令値に応じた値である。
【発明の効果】
【０００６】
本発明によれば、車輪グリップ値と車輪グリップ閾値との偏差が大きいほど、制駆動力操作子の操作量が制動力を発生させる操作量である制動範囲において、制駆動力操作子の操作量に対する減速度の変化度合いを減少させることが可能となる。
これにより、制駆動力操作子の操作量に対する減速度の増加量を減少させて、減速度の増加により不安定な挙動が発生すると予測した運転者に対し、減速度の操作を能動的に行いやすくさせることが可能となる。
【図面の簡単な説明】
【０００７】
【図１】本発明の第一実施形態の制駆動力制御装置を備える車両の概略構成を示すブロック図である。
【図２】制駆動力コントローラの構成を示すブロック図である。
【図３】減速度特性算出部の構成を示すブロック図である。
【図４】横Ｇの絶対値と最大減速度第一補正係数との関係を示すマップである。
【図５】μ勾配と最大減速度第二補正係数との関係を示すマップである。
【図６】目標減速度算出部が目標減速度を算出する処理を示すフローチャートである。
【図７】減速度特性反映処理を示すフローチャートである。
【図８】運転者による加減速ペダルの開度を増加させる操作が行われた状態における、加減速ペダルの開度と、車両に発生させる制動力及び駆動力と、運転余裕度との関係を設定したマップである。
【図９】加減速ペダルの開度と、加減速ペダルの開度が中立点未満の範囲において、車両に発生させる減速度との関係を示す図である。
【図１０】運転者による加減速ペダルの開度を減少させる操作が行われた状態における、加減速ペダルの開度と、車両に発生させる制動力及び駆動力と、運転余裕度との関係を設定したマップである。
【図１１】加減速ペダルの開度と、加減速ペダルの開度が中立点未満の範囲において、車両に発生させる減速度との関係を示す図である。
【図１２】運転者による加減速ペダルの開度を保持する操作が行われた状態における、加減速ペダルの開度と、車両に発生させる制動力及び駆動力と、運転余裕度との関係を設定したマップである。
【図１３】加減速ペダルの開度と、加減速ペダルの開度が中立点未満の範囲において、車両に発生させる減速度との関係を示す図である。
【図１４】運転者による制動用ペダルの踏み込み操作が行われた状態における、加減速ペダル及び制動用ペダルの開度と、車両に発生させる制動力及び駆動力と、運転余裕度との関係を設定したマップである。
【図１５】本発明の第一実施形態の制駆動力制御装置を用いて行なう動作のフローチャートである。
【発明を実施するための形態】
【０００８】
以下、本発明の実施形態について、図面を参照しつつ説明する。
（第一実施形態）
以下、本発明の第一実施形態（以下、本実施形態と記載する）について、図面を参照しつつ説明する。
（構成）
図１は、本実施形態の制駆動力制御装置１を備える車両Ｖの概略構成を示すブロック図である。
図１中に示すように、制駆動力制御装置１を備える車両Ｖは、アクセル操作量センサ２と、ブレーキ操作量センサ４と、Ｇセンサ６と、車輪速センサ８と、μ勾配算出部１０と、制駆動力コントローラ１２と、ブレーキアクチュエータ１４を備える。これに加え、制駆動力制御装置１を備える車両Ｖは、ホイールシリンダ１６と、動力コントロールユニット１８と、動力ユニット２０と、車輪Ｗ（右前輪ＷＦＲ、左前輪ＷＦＬ、右後輪ＷＲＲ、左後輪ＷＲＬ）を備える。
【０００９】
アクセル操作量センサ２は、例えば、ペダルストロークセンサを用いて形成した、運転者による加減速ペダル２２（アクセルペダル）の踏み込み操作量を検出するセンサである。また、アクセル操作量センサ２は、運転者による加減速ペダル２２の踏み込み操作量を含む情報信号（以降の説明では、「アクセル操作量信号」と記載する場合がある）を、制駆動力コントローラ１２へ出力する。また、加減速ペダル２２は、車両Ｖの運転者が制動力要求または駆動力要求に応じて踏込むペダルである。
【００１０】
なお、アクセル操作量センサ２の構成は、ペダルストロークセンサを用いて形成した構成に限定するものではなく、例えば、運転者の踏み込み操作による加減速ペダル２２の開度を検出する構成としてもよい。
すなわち、アクセル操作量センサ２は、運転者による加減速ペダル２２の操作量を検出するセンサである。
【００１１】
ブレーキ操作量センサ４は、例えば、ペダルストロークセンサを用いて形成した、運転者による制動用ペダル２４（ブレーキペダル）の踏み込み操作量を検出するセンサである。また、ブレーキ操作量センサ４は、運転者による制動用ペダル２４の踏み込み操作量を含む情報信号（以降の説明では、「ブレーキ操作量信号」と記載する場合がある）を、制駆動力コントローラ１２へ出力する。また、制動用ペダル２４は、車両Ｖの運転者が制動力要求のみに応じて踏込むペダルである。
【００１２】
なお、ブレーキ操作量センサ４の構成は、アクセル操作量センサ２と同様、ペダルストロークセンサを用いて形成した構成に限定するものではなく、例えば、運転者の踏み込み操作による制動用ペダル２４の開度を検出する構成としてもよい。
すなわち、ブレーキ操作量センサ４は、運転者による制動用ペダル２４の操作量を検出するセンサである。
【００１３】
Ｇセンサ６は、横加速度センサの機能を有するブロックと、前後加速度センサの機能を有するブロックを備える。
横加速度センサの機能を有するブロックは、車両Ｖに対し、車体の横方向（車幅方向）への加速度（以降の説明では、「実測横加速度」と記載する場合がある）を検出する。そして、検出した実測横加速度を含む情報信号（以降の説明では、「実測横加速度信号」と記載する場合がある）を、制駆動力コントローラ１２へ出力する。
【００１４】
前後加速度センサの機能を有するブロックは、車両Ｖに対し、車体の前後方向（車両前後方向）への加速度を検出する。そして、検出した加速度を含む情報信号（以降の説明では、「前後加速度信号」と記載する場合がある）を、μ勾配算出部１０及び制駆動力コントローラ１２へ出力する。
車輪速センサ８は、車輪Ｗの回転速度を検出し、検出した回転速度を含む情報信号（以降の説明では、「車輪速信号」と記載する場合がある）を、μ勾配算出部１０へ出力する。
【００１５】
なお、図１中では、右前輪ＷＦＲの回転速度を検出する車輪速センサ８を、車輪速センサ８ＦＲと示し、左前輪ＷＦＬの回転速度を検出する車輪速センサ８を、車輪速センサ８ＦＬと示す。同様に、図１中では、右後輪ＷＲＲの回転速度を検出する車輪速センサ８を、車輪速センサ８ＲＲと示し、左後輪ＷＲＬの回転速度を検出する車輪速センサ８を、車輪速センサ８ＲＬと示す。また、以降の説明においても、各車輪Ｗや各車輪速センサ８を、上記のように示す場合がある。
【００１６】
μ勾配算出部１０は、Ｇセンサ６から入力を受けた前後加速度信号が含む車両前後方向への加速度と、各車輪速センサ８から入力を受けた車輪速信号が含む各車輪Ｗの回転速度に基づき、μ勾配を算出する。さらに、μ勾配算出部１０は、算出したμ勾配を含む情報信号（以降の説明では、「路面μ信号」と記載する場合がある）を、制駆動力コントローラ１２へ出力する。
【００１７】
ここで、μ勾配は、例えば、車輪Ｗのスリップ角と車輪Ｗの横力との間に成立するタイヤの特性曲線上において、スリップ角及び横力を得る位置の勾配（コーナンリングパワー）である。すなわち、μ勾配とは、車輪Ｗのスリップ角βｔの変化量に対する、車輪Ｗの横力Ｆｙの変化率（∂Ｆｙ／∂βｔ）である。
制駆動力コントローラ１２は、車両Ｖに発生させる制動力または駆動力を制御するものであり、マイクロコンピュータで構成する。なお、マイクロコンピュータは、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備えた構成である。
【００１８】
また、制駆動力コントローラ１２は、入力される各種の情報信号に基づいて後述する各種の処理を行い、ブレーキアクチュエータ１４及び動力ユニット２０を制御するための指令信号（制動指令信号、駆動指令信号）を出力する。なお、制駆動力コントローラ１２の具体的な構成については、後述する。
ここで、制動指令信号は、各ホイールシリンダ１６の油圧を制御するための制動力指令値を含む情報信号である。また、制動力指令値は、車両Ｖの運転者による制動力要求に応じて、制駆動力コントローラ１２により算出する。
【００１９】
一方、駆動指令信号は、動力ユニット２０が発生させる駆動力を制御するための駆動力指令値を含む情報信号である。また、駆動力指令値は、車両Ｖの運転者による駆動力要求に応じて、制駆動力コントローラ１２により算出する。
ブレーキアクチュエータ１４は、マスタシリンダ（図示せず）と各ホイールシリンダ１６との間に介装した液圧制御装置である。また、ブレーキアクチュエータ１４は、制駆動力コントローラ１２から入力を受けた制動指令信号が含む制動力指令値に応じて、各ホイールシリンダ１６の油圧を変化させ、各車輪Ｗに制動力を付与する。
【００２０】
ホイールシリンダ１６は、ディスクブレーキを構成するブレーキパッド（図示せず）を、各車輪Ｗと一体に回転するディスクロータ（図示せず）に押し付けるための押圧力を発生する。
なお、図１中では、右前輪ＷＦＲに対して配置したホイールシリンダ１６を、ホイールシリンダ１６ＦＲと示し、左前輪ＷＦＬに対して配置したホイールシリンダ１６を、ホイールシリンダ１６ＦＬと示す。同様に、図１中では、右後輪ＷＲＲに対して配置したホイールシリンダ１６を、ホイールシリンダ１６ＲＲと示し、左後輪ＷＲＬに対して配置したホイールシリンダ１６を、ホイールシリンダ１６ＲＬと示す。また、以降の説明においても、各ホイールシリンダ１６を、上記のように示す場合がある。
【００２１】
動力コントロールユニット１８は、制駆動力コントローラ１２から入力を受けた駆動指令信号が含む駆動力指令値に応じて、動力ユニット２０が発生させる駆動力を制御する。なお、本実施形態では、後述するように、動力ユニット２０を、エンジンを用いて形成する。このため、動力コントロールユニット１８は、エンジンが発生させる駆動力に関する値（例えば、駆動トルク、回転数、トランスミッションのギヤ比）を制御する。
【００２２】
また、動力コントロールユニット１８は、動力ユニット２０（エンジン）が発生させている現在のトルク（エンジントルク）を含む情報信号（以降の説明では、「現在トルク信号」と記載する場合がある）を、制駆動力コントローラ１２へ出力する。
動力ユニット２０は、車両Ｖの駆動力を発生させる構成であり、ドライブシャフト（図示せず）等を介して、各車輪Ｗに駆動力を付与する。なお、本実施形態では、一例として、動力ユニット２０を、エンジンを用いて形成した場合について説明する。
【００２３】
（制駆動力コントローラ１２の具体的な構成）
次に、図１を参照しつつ、図２を用いて、制駆動力コントローラ１２の具体的な構成について説明する。
図２は、制駆動力コントローラ１２の構成を示すブロック図である。
図２中に示すように、制駆動力コントローラ１２は、制駆動力算出用ペダル開度算出部２６と、減速度特性算出部２８と、目標減速度算出部３０と、駆動力算出部３２と、制動力算出部３４を備える。
【００２４】
制駆動力算出用ペダル開度算出部２６は、アクセル操作量センサ２から入力を受けたアクセル操作量信号が含む踏み込み操作量に基づき、予め設定したサンプリング時間で踏み込み操作量を除算する。これにより、制駆動力算出用ペダル開度算出部２６は、加減速ペダル２２の操作速度（ペダル操作速度）を算出する。なお、本実施形態では、一例として、サンプリング時間を０．２[ｓ]に設定した場合について説明する。
【００２５】
そして、制駆動力算出用ペダル開度算出部２６は、算出したペダル操作速度を含む情報信号（以降の説明では、「ペダル操作速度信号」と記載する場合がある）を、目標減速度算出部３０へ出力する。
また、制駆動力算出用ペダル開度算出部２６は、アクセル操作量センサ２から入力を受けたアクセル操作量信号が含む踏み込み操作量に基づき、予め設定した中立点を基準とした、加減速ペダル２２の踏み込み操作量を算出する。そして、算出した踏み込み操作量を含む情報信号（以降の説明では、「アクセルペダル操作量信号」と記載する場合がある）を、駆動力算出部３２及び目標減速度算出部３０へ出力する。
【００２６】
ここで、中立点とは、車両Ｖに発生させる加速度と減速度を切り替える点、すなわち、制駆動力コントローラ１２が出力する指令信号を、制動指令信号または駆動指令信号に切り替える点である。また、中立点は、アクセル操作量信号が含む踏み込み操作量に応じた、加減速ペダル２２の開度（ペダル開度）に対応するパラメータであり、例えば、２５％程度の加減速ペダル２２の開度に対応する。
【００２７】
また、中立点とは、踏み込み操作量信号が含む踏み込み操作量であり、加減速ペダル２２（制駆動力操作子）の操作量に応じたパラメータである所定操作量を示す。また、所定操作量は、加減速ペダル２２の操作量が未操作の状態から所定操作量未満である制動範囲では、加減速ペダル２２の操作量の増加に応じて、制動力指令値を、後述する初期制動力指令値から減少させるための閾値である。これに加え、所定操作量は、加減速ペダル２２の操作量が所定操作量以上である駆動範囲では、所定操作量と加減速ペダル２２の操作量との偏差に応じた駆動力指令値を設定するための閾値である。
【００２８】
減速度特性算出部２８は、Ｇセンサ６から入力を受けた実測横加速度信号が含む車幅方向への加速度と、μ勾配算出部１０から入力を受けた路面μ信号が含むμ勾配に基づき、最大減速度設定値を算出する。そして、算出した最大減速度設定値を含む情報信号（以降の説明では、「最大減速度設定値信号」と記載する場合がある）を、目標減速度算出部３０へ出力する。なお、減速度特性算出部２８の詳細な構成と、減速度特性算出部２８が最大減速度設定値を算出する処理については、後述する。
【００２９】
ここで、最大減速度設定値とは、加減速ペダル２２の開度が最小値（ペダル開度＝０）の状態において、車両Ｖに発生させる減速度に応じた値である。
目標減速度算出部３０は、制駆動力算出用ペダル開度算出部２６からペダル操作速度信号及びアクセルペダル操作量信号の入力を受け、減速度特性算出部２８から最大減速度設定値信号の入力を受ける。さらに、目標減速度算出部３０は、ブレーキ操作量センサ４からブレーキ操作量信号の入力を受ける。そして、ペダル操作速度信号が含むペダル操作速度と、アクセルペダル操作量信号が含む加減速ペダル２２の踏み込み操作量と、最大減速度設定値信号が含む最大減速度設定値に基づき、車両Ｖに発生させる制動力に応じた減速度の目標値である目標減速度を算出する。
【００３０】
さらに、目標減速度算出部３０は、算出した目標減速度とアクセルペダル操作量信号が含む加減速ペダル２２の踏み込み操作量に基づいて、車両Ｖに発生させる制動力を算出する。
また、目標減速度算出部３０は、ブレーキ操作量センサ４からブレーキ操作量信号の入力を受けた場合、他の処理よりも優先して、ブレーキ操作量信号が含む制動用ペダル２４の踏み込み操作量に基づき、車両Ｖに発生させる制動力を算出する。
【００３１】
そして、算出した制動力を含む情報信号（以降の説明では、「制動力信号」と記載する場合がある）を、制動力算出部３４へ出力する。なお、目標減速度算出部３０が目標減速度を算出する処理については、後述する。
駆動力算出部３２は、制駆動力算出用ペダル開度算出部２６から入力を受けたアクセルペダル操作量信号が含む加減速ペダル２２の踏み込み操作量に基づいて、駆動力指令値を算出する。具体的には、アクセル操作量信号が含む踏み込み操作量に応じたペダル開度が中立点以上となると、加減速ペダル２２の開度が増加するにつれて、車両Ｖに発生させる駆動力を増加させるように、駆動力指令値を算出する。そして、駆動力算出部３２は、算出した駆動力指令値を含む情報信号（以降の説明では、「駆動力指令値信号」と記載する場合がある）を、動力コントロールユニット１８へ出力する。
【００３２】
制動力算出部３４は、目標減速度算出部３０から入力を受けた制動力信号が含む制動力に基づいて制動力指令値を算出する。そして、制動力算出部３４は、算出した制動力指令値を含む情報信号（以降の説明では、「制動力指令値信号」と記載する場合がある）を、ブレーキアクチュエータ１４へ出力する。
【００３３】
（減速度特性算出部２８の詳細な構成）
次に、図１及び図２を参照しつつ、図３から図５を用いて、減速度特性算出部２８の詳細な構成について説明する。
図３は、減速度特性算出部２８の構成を示すブロック図である。
図３中に示すように、減速度特性算出部２８は、最大減速度第一補正係数算出部３６と、最大減速度第二補正係数算出部３８と、選択用減速度定数生成部４０と、減速度特性設定部４２を備えている。
最大減速度第一補正係数算出部３６は、Ｇセンサ６から入力を受けた実測横加速度信号が含む車幅方向への加速度に基づき、最大減速度第一補正係数を算出する。そして、算出した最大減速度第一補正係数を含む情報信号（以降の説明では、「第一補正係数信号」と記載する場合がある）を、選択用減速度定数生成部４０へ出力する。
【００３４】
ここで、最大減速度第一補正係数算出部３６が最大減速度第一補正係数を算出する際には、例えば、図４中に示すマップに、実測横加速度信号が含む車幅方向への加速度の絶対値（横Ｇの絶対値）を入力する。なお、図４は、横Ｇの絶対値と最大減速度第一補正係数との関係を示すマップである。また、図４中では、縦軸に最大減速度第一補正係数（図中では「第一補正係数」と記載する）を示し、横軸に横Ｇの絶対値を示す。
【００３５】
図４中に示すように、車幅方向への加速度の絶対値が、予め設定した横Ｇ閾値以下の範囲では、最大減速度第一補正係数を、初期値である「１．０」に維持する。なお、車幅方向への加速度の絶対値は、例えば、車幅方向右方への加速度を正の加速度とし、車幅方向左方への加速度を負の加速度として用いる。
ここで、横Ｇ閾値は、例えば、車両Ｖの構造（車重、制動能力等）に応じて設定する。また、横Ｇ閾値は、例えば、車速に応じて変化させてもよい。
【００３６】
そして、車幅方向への加速度の絶対値が増加して横Ｇ閾値を超えた範囲では、車幅方向への加速度の絶対値の増加度合いに応じて、最大減速度第一補正係数を、初期値（１．０）から減少させる。
最大減速度第二補正係数算出部３８は、μ勾配算出部１０から入力を受けた路面μ信号が含むμ勾配に基づき、最大減速度第二補正係数を算出する。そして、算出した最大減速度第二補正係数を含む情報信号（以降の説明では、「第二補正係数信号」と記載する場合がある）を、選択用減速度定数生成部４０へ出力する。
【００３７】
ここで、最大減速度第二補正係数算出部３８が最大減速度第二補正係数を算出する際には、例えば、図５中に示すマップに、路面μ信号が含むμ勾配を入力する。なお、図５は、μ勾配と最大減速度第二補正係数との関係を示すマップである。また、図５中では、縦軸に最大減速度第二補正係数（図中では「第二補正係数」と記載する）を示し、横軸にμ勾配を示す。
【００３８】
図５中に示すように、μ勾配が、予め設定したμ勾配閾値以上の範囲では、最大減速度第二補正係数を、初期値である「１．０」に維持する。
ここで、μ勾配閾値は、例えば、車両Ｖの構造（車重、駆動能力等）に応じて設定する。また、μ勾配閾値は、例えば、車速に応じて変化させてもよい。
そして、μ勾配が減少してμ勾配閾値未満となる範囲では、μ勾配の減少度合いに応じて、最大減速度第二補正係数を、初期値（１．０）から減少させる。
【００３９】
選択用減速度定数生成部４０は、最大減速度第一補正係数算出部３６から第一補正係数信号の入力を受け、最大減速度第二補正係数算出部３８から第二補正係数信号の入力を受ける。そして、第一補正係数信号が含む最大減速度第一補正係数と、第二補正係数信号が含む最大減速度第二補正係数と、予め設定した定数である最大減速度定数を乗算して、選択用減速度定数を生成する。さらに、生成した選択用減速度定数を含む情報信号（以降の説明では、「選択用減速度定数信号」と記載する場合がある）を、減速度特性設定部４２へ出力する。
【００４０】
ここで、最大減速度定数は、例えば、車両Ｖを出荷する状態等、走行時の状況に応じた制御を行わない状態で、加減速ペダル２２の開度が最小値（ペダル開度＝０）である場合に、車両Ｖに発生させる制動力に対応する値（例えば、０．３[Ｇ]）である。すなわち、最大減速度定数は、加減速ペダル２２の開度が最小値である場合に車両Ｖに発生させる制動力の、基本的な特性（ベース特性）である。また、最大減速度定数は、例えば、車両Ｖの制動能力や車重等の諸元に応じて設定する。
【００４１】
減速度特性設定部４２は、選択用減速度定数生成部４０から選択用減速度定数信号の入力を受ける。そして、選択用減速度定数信号が含む選択用減速度定数と、予め設定した定数である最小減速度定数を比較し、大きな定数を、最大減速度設定値として設定する。さらに、設定した最大減速度設定値を含む最大減速度設定値信号を、目標減速度算出部３０へ出力する。
【００４２】
ここで、最小減速度定数は、例えば、車両Ｖの走行時に、車両Ｖに発生している車幅方向への加速度やμ勾配に応じた制御を行う状態で、加減速ペダル２２の開度が最小値（ペダル開度＝０）である場合に、車両Ｖに発生させる制動力に対応する値である。すなわち、最小減速度定数は、加減速ペダル２２の開度が最小値である場合に車両Ｖに発生させる制動力の、制御後の特性である。また、最小減速度定数は、例えば、車両Ｖの制動能力や車重等の諸元に応じて設定し、最大減速度定数よりも小さい減速度に対応する。
【００４３】
（目標減速度算出部３０が目標減速度を算出する処理）
次に、図１から図５を参照しつつ、図６から図１４を用いて、目標減速度算出部３０が目標減速度を算出する処理について説明する。
図６は、目標減速度算出部３０が目標減速度を算出する処理を示すフローチャートである。
【００４４】
図６中に示すように、目標減速度算出部３０が処理を開始（ＳＴＡＲＴ）すると、まず、ステップＳ１００において、加減速ペダル２２の開度が「０」であるか否かを判定する処理（図中に示す「アクセル開度＝０」）を行う。これに加え、ステップＳ１００では、運転者（Ｄｒ）が踏み込んでいた加減速ペダル２２の開度を減少させる操作（ブレーキ操作）が行われているか否かを判定する処理（図中に示す「Ｄｒブレーキ操作有」）を行う。
【００４５】
ここで、加減速ペダル２２の開度が「０」であるか否かの判定は、例えば、アクセルペダル操作量信号が含む加減速ペダル２２の踏み込み操作量に基づいて行う。また、運転者によるブレーキ操作が行われているか否かの判定は、例えば、ペダル操作速度信号が含むペダル操作速度と、アクセルペダル操作量信号が含む加減速ペダル２２の踏み込み操作量に基づいて行う。
【００４６】
ステップＳ１００において、二つの判定のうち少なくとも一方が成立しない（図中に示す「Ｎｏ」）と判定した場合、目標減速度算出部３０が行なう処理は、ステップＳ１０２へ移行する。
一方、ステップＳ１００において、加減速ペダル２２の開度が「０」であり、運転者によるブレーキ操作が行われている（図中に示す「Ｙｅｓ」）と判定した場合、目標減速度算出部３０が行なう処理は、ステップＳ１０４へ移行する。
【００４７】
ステップＳ１０２では、加減速ペダル２２の開度が中立点以上であるか否かを判定する処理（図中に示す「アクセル開度≧中立点」）を行う。
ここで、加減速ペダル２２の開度が中立点以上であるか否かの判定は、例えば、アクセルペダル操作量信号が含む加減速ペダル２２の踏み込み操作量に基づいて行う。
ステップＳ１００において、加減速ペダル２２の開度が中立点以上である（図中に示す「Ｙｅｓ」）と判定した場合、目標減速度算出部３０が行なう処理は、ステップＳ１０４へ移行する。
【００４８】
一方、ステップＳ１００において、加減速ペダル２２の開度が中立点未満である（図中に示す「Ｎｏ」）と判定した場合、目標減速度算出部３０が行なう処理は、ステップＳ１０６へ移行する。
ステップＳ１０４では、走行時の車両Ｖの状況に因らず、目標減速度を、上述した最大減速度定数を反映した減速度として算出する処理（図中に示す「最大減速度定数反映処理」）を行う。ステップＳ１０４において、目標減速度を、最大減速度定数を反映した減速度として算出する処理を行うと、目標減速度算出部３０が行なう処理を終了（ＥＮＤ）する。
【００４９】
すなわち、ステップＳ１０４では、運転者による加減速ペダル２２の操作により、車両Ｖに加速度（加速Ｇ）が発生した場合、目標減速度を算出する処理の特性を、上述したベース特性にリセット（初期化、変更）する処理を行う。または、ステップＳ１０４では、加減速ペダル２２を踏み込んでいた運転者が加減速ペダル２２から足を離してブレーキ操作を行った場合、目標減速度を算出する処理の特性を、ベース特性にリセットする処理を行う。
【００５０】
ステップＳ１０６では、走行時の車両Ｖの状況に応じて、目標減速度を、減速度特性算出部２８から入力を受けた最大減速度設定値信号が含む最大減速度設定値を反映した減速度として算出する処理（図中に示す「減速度特性反映処理」）を行う。ステップＳ１０６において、目標減速度を、最大減速度設定値信号が含む最大減速度設定値を反映した減速度として算出する処理を行うと、目標減速度算出部３０が行なう処理を終了（ＥＮＤ）する。なお、以降の説明では、目標減速度を、減速度特性算出部２８から入力を受けた最大減速度設定値信号が含む最大減速度設定値を反映した減速度として算出する処理を、「減速度特性反映処理」と記載する場合がある。
【００５１】
図７は、ステップＳ１０６で行う処理、すなわち、減速度特性反映処理を示すフローチャートである。
図７中に示すように、減速度特性反映処理を開始（ＳＴＡＲＴ）すると、まず、ステップＳ２００において、加減速ペダル２２の操作速度を算出する処理（図中に示す「アクセル操作速度算出」）を行う。ステップＳ２００において、加減速ペダル２２の操作速度を算出する処理を行うと、減速度特性反映処理は、ステップＳ２０２へ移行する。
【００５２】
ここで、加減速ペダル２２の操作速度は、例えば、ペダル操作速度信号が含むペダル操作速度に基づいて算出する。
ステップＳ２０２では、ステップＳ２００で算出した加減速ペダル２２の操作速度が、予め設定した踏み増し閾値以上であるか否かを判定する処理（図中に示す「アクセル操作速度≧踏み増し閾値」）を行う。
【００５３】
ここで、踏み増し閾値とは、加減速ペダル２２の操作速度が、加減速ペダル２２の開度を増加させる方向への操作速度であるか否かを判定するための閾値であり、踏み込み操作の加減速ペダル２２の操作速度に対応する値である。
ステップＳ２０２において、ステップＳ２００で算出した加減速ペダル２２の操作速度が踏み増し閾値以上である（図中に示す「Ｙｅｓ」）と判定した場合、減速度特性反映処理は、ステップＳ２０４へ移行する。
【００５４】
一方、ステップＳ２０２において、ステップＳ２００で算出した加減速ペダル２２の操作速度が踏み増し閾値未満である（図中に示す「Ｎｏ」）と判定した場合、減速度特性反映処理は、ステップＳ２１０へ移行する。
ステップＳ２０４では、後述する目標減速度現在値を算出する処理に用いるために、上述した最大減速度設定値を、予め設定した制駆動力マップに反映させる処理（図中に示す「最大減速度設定値反映処理」）を行う。ステップＳ２０４において、最大減速度設定値を制駆動力マップに反映させる処理を行うと、減速度特性反映処理は、ステップＳ２０６へ移行する。
【００５５】
ここで、制駆動力マップは、例えば、図８（ａ）〜（ｃ）中に示すように、加減速ペダル２２の開度と、車両Ｖに発生させる制動力及び駆動力と、運転余裕度との関係を設定したマップである。
なお、図８（ａ）〜（ｃ）は、運転者による加減速ペダル２２の開度を増加させる操作が行われた状態における、加減速ペダル２２の開度と、車両Ｖに発生させる制動力及び駆動力と、運転余裕度との関係を設定したマップである。また、図８（ａ）〜（ｃ）中では、縦軸に加減速ペダル２２の開度（図中では「ペダル開度」と記載する）を示し、横軸に運転余裕度（図中では「横Ｇ」と記載する）を示す。
【００５６】
また、図８（ａ）〜（ｃ）中では、加減速ペダル２２の開度と運転余裕度との関係に応じて車両Ｖに発生させる制動力及び駆動力を示す領域を、符号Ａ１により示す。また、図８（ａ）〜（ｃ）中では、加減速ペダル２２の開度が最小値（ペダル開度＝０）の状態を「全閉」と示し、加減速ペダル２２の開度が最大値の状態を「全開」と示す。
ここで、運転余裕度とは、走行中において、車両Ｖに発生する車両前後方向及び車幅方向への加速度及びμ勾配のうち、少なくとも一方に応じて設定する領域であり、車両Ｖの走行性能の限界域よりも手前の領域である。
【００５７】
また、運転余裕度は、車輪Ｗのグリップ性能に応じた値である車輪グリップ値が小さいほど減少する領域である。また、車輪Ｗのグリップ性能は、車両Ｖの走行中に発生する力であり、路面に対する車輪Ｗのグリップ力（摩擦力）に応じた値である。
なお、図８中に示す例では、一例として、車輪グリップ値を、車幅方向への加速度の絶対値（横Ｇ）とし、運転余裕度を横Ｇの大きさに応じて設定した場合について説明する。したがって、図８中に示す例では、走行中の車両Ｖに発生する横Ｇが大きいほど車輪グリップ値が小さくなり、運転余裕度が減少する場合について説明する。これは、車幅方向への加速度の絶対値が横Ｇ閾値を超えると、車幅方向への加速度の絶対値が増加するほど、走行中の車両Ｖに、運転者の意図しない旋回等の挙動が発生する可能性が増加するためである。ここで、横Ｇ閾値は、予め設定した車輪グリップ閾値に対応する。すなわち、車幅方向への加速度の絶対値が横Ｇ閾値を超えた状態は、車輪グリップ値が減少して、予め設定した車輪グリップ閾値未満となる状態に対応する。
【００５８】
また、図８（ａ）〜（ｃ）は、図８（ａ）、図８（ｂ）、図８（ｃ）の順で経時的に変化する制駆動力マップを示す。具体的には、図８（ｂ）は、図８（ａ）の状態から、加減速ペダル２２の開度は変化せずに、車幅方向への加速度の絶対値が増加した状態を示す。また、図８（ｃ）は、図８（ｂ）の状態から、車幅方向への加速度の絶対値は変化せずに、加減速ペダル２２の開度が増加した状態を示す。
【００５９】
すなわち、ステップＳ２０４において、図８（ａ）中に示す制駆動力マップに、最大減速度設定値を反映させる処理を行うと、制駆動力マップが図８（ｂ）中に示す状態に変化する。具体的には、図９（ｂ）中に示すように、図９（ａ）の状態から、中立点を変化させることなく、加減速ペダル２２の開度が最小値の状態で車両Ｖに発生させる減速度の最大値を減少させる。これにより、加減速ペダル２２の開度が最小値である場合に、車両Ｖに発生させる制動力を、最大減速度定数に対応する値（ベース特性に対応する値）よりも減少させる。
【００６０】
したがって、ステップＳ２０４の処理を行うと、加減速ペダル２２の開度が中立点未満の範囲において、加減速ペダル２２の開度に応じて車両Ｖに発生させる減速度が、制駆動力マップに最大減速度設定値を反映させる処理を行わない場合よりも減少する。このため、図９（ｃ）中に示すように、ステップＳ２０４の処理を行わない場合と比較して、加減速ペダル２２の開度が中立点未満の範囲において、加減速ペダル２２の開度が増加すると、加減速ペダル２２の開度の増加に応じた加速度が増加することとなる。
【００６１】
すなわち、ステップＳ２０４の処理を行い、加減速ペダル２２の開度が中立点未満の範囲内で初期制動力指令値を小さく補正すると、加減速ペダル２２の開度が増加した時点で、小さく補正した初期制動力指令値に応じて制動力指令値を設定することとなる。
ここで、初期制動力指令値とは、上述したベース特性の最大減速度定数である。したがって、制駆動力マップに最大減速度設定値を反映させる処理を行うと、初期制動力指令値を小さく補正することとなる。
【００６２】
なお、図９（ａ）〜（ｃ）は、加減速ペダル２２の開度と、加減速ペダル２２の開度が中立点未満の範囲において、車両Ｖに発生させる減速度との関係を示す図である。また、図９（ａ）〜（ｃ）中では、縦軸に加減速ペダル２２の開度が中立点未満の範囲において、車両Ｖに発生させる減速度（図中では「減速度」と記載する）を示し、横軸に加減速ペダル２２の開度（図中では「ペダル開度」と記載する）を示す。
【００６３】
また、図９（ａ）〜（ｃ）中では、加減速ペダル２２の開度と減速度との関係を示す傾きを、実線で示す。また、図９（ｂ）及び図９（ｃ）中では、制駆動力マップに、最大減速度設定値を反映させる処理を行わない場合の、加減速ペダル２２の開度と減速度との関係を示す傾きを、破線で示す。
また、図９（ａ）は図８（ａ）に、図９（ｂ）は図８（ｂ）に、図９（ｃ）は図８（ｃ）に、それぞれ、対応する。
【００６４】
ステップＳ２０６では、最大減速度設定値を反映させた制駆動力マップを用いて、目標減速度の現在値（目標減速度現在値）を算出する処理（図中に示す「目標減速度現在値算出処理」）を行う。ステップＳ２０６において、最大減速度設定値を反映させた制駆動力マップを用いて目標減速度現在値を算出する処理を行うと、減速度特性反映処理は、ステップＳ２０８へ移行する。
【００６５】
ステップＳ２０８では、ステップＳ２０６で算出した目標減速度現在値と、前回の減速度特性反映処理で算出した目標減速度（目標減速度前回値）を比較する。そして、目標減速度現在値と目標減速度前回値のうち最小値を、今回の処理で算出する目標減速度として選択する処理（図中に示す「ＭＩＮ（目標減速度現在値、目標減速度前回値）」）を行う。ステップＳ２０８において、今回の処理で算出する目標減速度を選択する処理を行うと、減速度特性反映処理を終了（ＥＮＤ）する。
【００６６】
ステップＳ２１０では、前回の減速度特性反映処理で算出した目標減速度（目標減速度前回値）が、上述した最大減速度設定値以上であるか否かを判定する処理（図中に示す「目標減速度前回値≧最大減速度設定値」）を行う。
ステップＳ２１０において、目標減速度前回値が最大減速度設定値以上である（図中に示す「Ｙｅｓ」）と判定した場合、減速度特性反映処理は、ステップＳ２１２へ移行する。
【００６７】
一方、ステップＳ２１０において、目標減速度前回値が最大減速度設定値未満である（図中に示す「Ｎｏ」）と判定した場合、減速度特性反映処理は、ステップＳ２１４へ移行する。
ステップＳ２１２では、目標減速度前回値に基づいて、目標減速度を算出する処理（図中に示す「目標減速度算出処理」）を行う。ステップＳ２１２において、目標減速度前回値に基づいて目標減速度を算出する処理を行うと、減速度特性反映処理を終了（ＥＮＤ）する。
【００６８】
ステップＳ２１４では、ステップＳ１００の処理で用いた加減速ペダル２２の開度と、前回の減速度特性反映処理で算出した目標減速度（目標減速度前回値）に基づいて、暫定的な目標減速度を算出する処理（図中に示す「目標減速度暫定値算出処理」）を行う。ステップＳ２１４において、暫定的な目標減速度を算出する処理を行うと、減速度特性反映処理は、ステップＳ２１６へ移行する。
【００６９】
ステップＳ２１６では、前回の減速度特性反映処理で算出した目標減速度（目標減速度前回値）が、ステップＳ２１４で算出した暫定的な目標減速度以上であるか否かを判定する処理（図中に示す「目標減速度前回値≧目標減速度暫定値」）を行う。
ステップＳ２１６において、目標減速度前回値が目標減速度暫定値以上である（図中に示す「Ｙｅｓ」）と判定した場合、減速度特性反映処理は、ステップＳ２１８へ移行する。
【００７０】
一方、ステップＳ２１６において、目標減速度前回値が目標減速度暫定値未満である（図中に示す「Ｎｏ」）と判定した場合、減速度特性反映処理は、ステップＳ２２０へ移行する。
ステップＳ２１８では、目標減速度現在値を算出する処理に用いるために、最大減速度設定値を制駆動力マップに反映させる処理（図中に示す「最大減速度設定値反映処理」）を行う。ステップＳ２１８において、最大減速度設定値を制駆動力マップに反映させる処理を行うと、減速度特性反映処理は、ステップＳ２２０へ移行する。
【００７１】
したがって、ステップＳ２１８の処理を行うと、ステップＳ２０４の処理を行った場合と同様、加減速ペダル２２の開度が中立点未満の範囲において、加減速ペダル２２の開度が増加すると、加減速ペダル２２の開度の増加に応じた加速度が増加することとなる。
ステップＳ２２０では、ステップＳ２１８の処理を行った場合（ステップＳ２１６の判定結果が「Ｙｅｓ」の場合）、ステップＳ２０６と同様に、目標減速度現在値を算出する処理（図中に示す「目標減速度現在値算出処理」）を行う。具体的には、最大減速度設定値を反映させた制駆動力マップを用いて、目標減速度現在値を算出する処理を行う。一方、ステップＳ２１８の処理を行わない場合（ステップＳ２１６の判定結果が「Ｎｏ」の場合）、目標減速度前回値に基づいて、目標減速度現在値を算出する処理（図中に示す「目標減速度現在値算出処理」）を行う。ステップＳ２２０において、目標減速度現在値を算出する処理を行うと、減速度特性反映処理は、ステップＳ２２２へ移行する。
【００７２】
ステップＳ２２２では、ステップＳ２２０で算出した目標減速度現在値と、前回の減速度特性反映処理で算出した目標減速度（目標減速度前回値）を比較する。そして、目標減速度現在値と目標減速度前回値のうち最大値を、今回の処理で算出する目標減速度として選択する処理（図中に示す「ＭＡＸ（目標減速度現在値、目標減速度前回値）」）を行う。ステップＳ２２２において、今回の処理で算出する目標減速度を選択する処理を行うと、減速度特性反映処理を終了（ＥＮＤ）する。
【００７３】
以上により、ステップＳ２０２において、ステップＳ２００で算出した加減速ペダル２２の操作速度が踏み増し閾値以上であると判定した場合、運転者による加減速ペダル２２の踏み込み操作が行われていると判定し、運転者の意図が加速意図であると判定する。そして、ステップＳ２０２から、ステップＳ２０４、ステップＳ２０６、ステップＳ２０８を経由して行う処理では、運転者の加速意図に応じて、目標減速度を、最大減速度設定値を反映した特性の減速度へ即座に変更する処理を行う。
【００７４】
この場合、ステップＳ２０８の処理において、目標減速度現在値と目標減速度前回値のうち最小値を、今回の処理で算出する目標減速度として選択する。これは、加減速ペダル２２の開度が中立点未満である範囲における、運転者による加減速ペダル２２の踏み増し操作により、車両Ｖに発生する減速度の増加を抑制するためである。
また、ステップＳ２０２において、ステップＳ２００で算出した加減速ペダル２２の操作速度が踏み増し閾値未満であると判定した場合、運転者が加減速ペダル２２の開度を保持、または、減少させる操作が行われていると判定する。これにより、運転者の意図が車速維持意図、または、減速意図であると判定する。
【００７５】
そして、ステップＳ２０２から、ステップＳ２１０、ステップＳ２１２を経由して行う処理では、最大減速度設定値以上の減速度を使用しているため、目標減速度前回値に基づいて、目標減速度を算出する。
すなわち、横Ｇが横Ｇ閾値を超えた時点で、加減速ペダル２２の開度に応じて設定する制動力指令値が、小さく補正した初期制動力指令値に応じて設定する制動力指令値を超えていると、初期制動力指令値を保持する。
【００７６】
一方、ステップＳ２０２から、ステップＳ２１０、ステップＳ２１４を経由して行う処理では、目標減速度暫定値が目標減速度前回値よりも大きい値である場合、目標減速度を、最大減速度設定値を反映しない特性の減速度へ即座に変更する処理を行う。
また、目標減速度算出部３０が目標減速度を算出する処理では、制駆動力マップに最大減速度設定値を反映させる処理を行うことにより、加減速ペダル２２の開度に応じて車両Ｖに発生させる減速度が減少する。このため、加減速ペダル２２の開度が中立点未満の範囲において、運転者による加減速ペダル２２の開度を減少させる操作が行われると、加減速ペダル２２の開度のうち、車両Ｖに減速度が発生しない範囲を無くすことが可能となる（図１０、図１１を参照）。これにより、加減速ペダル２２の開度が中立点未満の範囲の全域において、運転者による減速意図を、車両Ｖの挙動に反映させることが可能となる。
【００７７】
なお、図１０（ａ）〜（ｃ）は、運転者による加減速ペダル２２の開度を減少させる操作が行われた状態における、加減速ペダル２２の開度と、車両Ｖに発生させる制動力及び駆動力と、運転余裕度との関係を設定したマップである。また、図１０（ａ）〜（ｃ）中では、縦軸に加減速ペダル２２の開度（図中では「ペダル開度」と記載する）を示し、横軸に運転余裕度（図中では「横Ｇ」と記載する）を示す。
【００７８】
また、図１０（ａ）〜（ｃ）中では、加減速ペダル２２の開度と運転余裕度との関係に応じて車両Ｖに発生させる制動力及び駆動力を示す領域を、符号Ａ１により示す。また、図１０（ａ）〜（ｃ）中では、加減速ペダル２２の開度が最小値（ペダル開度＝０）の状態を「全閉」と示し、加減速ペダル２２の開度が最大値の状態を「全開」と示す。
また、図１０（ａ）〜（ｃ）は、図１０（ａ）、図１０（ｂ）、図１０（ｃ）の順で経時的に変化する制駆動力マップを示す。具体的には、図１０（ｂ）は、図１０（ａ）の状態から、加減速ペダル２２の開度は変化せずに、車幅方向への加速度の絶対値が増加した状態を示す。また、図１０（ｃ）は、図１０（ｂ）の状態から、車幅方向への加速度の絶対値は変化せずに、加減速ペダル２２の開度が減少した状態を示す。
【００７９】
なお、図１１（ａ）〜（ｃ）は、加減速ペダル２２の開度と、加減速ペダル２２の開度が中立点未満の範囲において、車両Ｖに発生させる減速度との関係を示す図である。また、図１１（ａ）〜（ｃ）中では、縦軸に加減速ペダル２２の開度が中立点未満の範囲において、車両Ｖに発生させる減速度（図中では「減速度」と記載する）を示し、横軸に加減速ペダル２２の開度（図中では「ペダル開度」と記載する）を示す。
【００８０】
また、図１１（ａ）〜（ｃ）中では、加減速ペダル２２の開度と減速度との関係を示す傾きを、実線で示す。また、図１１（ｂ）及び図１１（ｃ）中では、制駆動力マップに、最大減速度設定値を反映させる処理を行わない場合の、加減速ペダル２２の開度と減速度との関係を示す傾きを、破線で示す。
また、図１１（ａ）は図１０（ａ）に、図１１（ｂ）は図１０（ｂ）に、図１１（ｃ）は図１０（ｃ）に、それぞれ、対応する。
【００８１】
したがって、本実施形態では、加減速ペダル２２の開度が中立点未満の範囲内で初期制動力指令値を小さく補正すると、加減速ペダル２２の開度が減少した時点で、小さく補正した初期制動力指令値に応じて制動力指令値を設定することとなる。
また、目標減速度算出部３０が目標減速度を算出する処理では、制駆動力マップに最大減速度設定値を反映させる処理を行うことにより、加減速ペダル２２の開度に応じて車両Ｖに発生させる減速度が減少する。このため、加減速ペダル２２の開度が中立点未満の範囲において、運転者による加減速ペダル２２の開度を維持する操作が行われると、加減速ペダル２２の開度のうち、車両Ｖに減速度が発生しない範囲を無くすことが可能となる（図１２、図１３を参照）。これにより、加減速ペダル２２の開度が中立点未満の範囲の全域において、運転者による減速意図を、車両Ｖの挙動に反映させることが可能となる。
【００８２】
なお、図１２（ａ）〜（ｃ）は、運転者による加減速ペダル２２の開度を保持する操作が行われた状態における、加減速ペダル２２の開度と、車両Ｖに発生させる制動力及び駆動力と、運転余裕度との関係を設定したマップである。また、図１２（ａ）〜（ｃ）中では、縦軸に加減速ペダル２２の開度（図中では「ペダル開度」と記載する）を示し、横軸に運転余裕度（図中では「横Ｇ」と記載する）を示す。
【００８３】
また、図１２（ａ）〜（ｃ）中では、加減速ペダル２２の開度と運転余裕度との関係に応じて車両Ｖに発生させる制動力及び駆動力を示す領域を、符号Ａ１により示す。また、図１２（ａ）〜（ｃ）中では、加減速ペダル２２の開度が最小値（ペダル開度＝０）の状態を「全閉」と示し、加減速ペダル２２の開度が最大値の状態を「全開」と示す。
また、図１２（ａ）〜（ｃ）は、図１２（ａ）、図１２（ｂ）、図１２（ｃ）の順で経時的に変化する制駆動力マップを示す。具体的には、図１２（ｂ）は、図１２（ａ）の状態から、加減速ペダル２２の開度は変化せずに、車幅方向への加速度の絶対値が増加した状態を示す。また、図１２（ｃ）は、図１２（ｂ）の状態から、車幅方向への加速度の絶対値は変化せずに、加減速ペダル２２の開度が減少した状態を示す。
【００８４】
なお、図１３（ａ）〜（ｃ）は、加減速ペダル２２の開度と、加減速ペダル２２の開度が中立点未満の範囲において、車両Ｖに発生させる減速度との関係を示す図である。また、図１３（ａ）〜（ｃ）中では、縦軸に加減速ペダル２２の開度が中立点未満の範囲において、車両Ｖに発生させる減速度（図中では「減速度」と記載する）を示し、横軸に加減速ペダル２２の開度（図中では「ペダル開度」と記載する）を示す。
【００８５】
また、図１３（ａ）〜（ｃ）中では、加減速ペダル２２の開度と減速度との関係を示す傾きを、実線で示す。また、図１３（ｂ）及び図１３（ｃ）中では、制駆動力マップに、最大減速度設定値を反映させる処理を行わない場合の、加減速ペダル２２の開度と減速度との関係を示す傾きを、破線で示す。
また、図１３（ａ）は図１２（ａ）に、図１３（ｂ）は図１２（ｂ）に、図１３（ｃ）は図１２（ｃ）に、それぞれ、対応する。
【００８６】
したがって、本実施形態では、加減速ペダル２２の開度が減少して、補正前の初期制動力指令値に応じた開度から小さく補正した初期制動力指令値に応じた開度となるまでは、車両Ｖに発生させる制動力を維持するように制動力指令値を設定する。
また、目標減速度算出部３０が目標減速度を算出する処理において、制駆動力マップに最大減速度設定値を反映させる処理を行った状態で、ブレーキ操作量センサ４からブレーキ操作量信号の入力を受けた場合は、以下の処理を行う。すなわち、制駆動力マップに最大減速度設定値を反映させる処理を行った状態で、運転者による制動用ペダル２４の踏み込み操作が行われると、例えば、図１４中に示すように、制動用ペダル２４の踏み込み操作量のみに基づいて、目標減速度を算出する。
【００８７】
なお、図１４（ａ）〜（ｃ）は、運転者による制動用ペダル２４の踏み込み操作が行われた状態における、加減速ペダル２２及び制動用ペダル２４の開度と、車両Ｖに発生させる制動力及び駆動力と、運転余裕度との関係を設定したマップである。また、図１４（ａ）〜（ｃ）中では、左側の縦軸に加減速ペダル２２の開度（図中では「アクセル開度」と記載する）を示し、右側の縦軸に制動用ペダル２４の開度（図中では「ブレーキ開度」と記載する）を示す。同様に、図１４（ａ）〜（ｃ）中では、横軸に運転余裕度（図中では「横Ｇ」と記載する）を示す。
【００８８】
また、図１４（ａ）〜（ｃ）中では、加減速ペダル２２の開度と運転余裕度との関係に応じて車両Ｖに発生させる制動力及び駆動力を示す領域を、符号Ａ１により示す。また、図１４（ａ）〜（ｃ）中では、加減速ペダル２２の開度が最小値（ペダル開度＝０）の状態を「全閉」と示し、加減速ペダル２２の開度が最大値の状態を「全開」と示す。
同様に、図１４（ａ）〜（ｃ）中では、制動用ペダル２４の開度に応じて車両Ｖに発生させる駆動力のみを示す領域を、符号Ａ２により示す。また、図１４（ａ）〜（ｃ）中では、制動用ペダル２４の開度が最小値（ペダル開度＝０）の状態を「全閉」と示す。
【００８９】
また、図１４（ａ）〜（ｃ）は、図１４（ａ）、図１４（ｂ）、図１４（ｃ）の順で経時的に変化する制駆動力マップを示す。具体的には、図１４（ｂ）は、図１４（ａ）の状態から、車幅方向への加速度の絶対値が増加した状態を示す。また、図１４（ｃ）は、図１４（ｂ）の状態から、車幅方向への加速度の絶対値が増加した状態を示す。
すなわち、本実施形態では、制駆動力マップに最大減速度設定値を反映させる処理を行うことにより、加減速ペダル２２の開度に応じて車両Ｖに発生させる減速度の変化度合いのみを変化させ、加速度の変化度合いは変更しない。
【００９０】
これは、加減速ペダル２２の開度が中立点未満の範囲において、加減速ペダル２２の操作により車両Ｖに発生させる減速度が、運転者の減速意図に不足する場合、制動用ペダル２４を操作することにより、不足分の減速度を補うことが可能となるためである。なお、この場合における制動用ペダル２４の操作は、緊急的な制動操作（ブレーキ操作）に該当する場合がある。
【００９１】
一方、加減速ペダル２２の開度が中立点以上の範囲において、加減速ペダル２２の操作により車両Ｖに発生させる加速度が、運転者の加速意図に不足する場合、加減速ペダル２２の踏み込み量を増加させることにより、不足分の加速度を補うことが可能となる。このため、制駆動力マップに最大減速度設定値を反映させる処理を行った場合であっても、加速度の変化度合いは変更しない。なお、この場合における加減速ペダル２２の踏み込み量を増加させる操作は、緊急的な加速操作（急加速操作）に該当する場合がある。
【００９２】
以上により、本実施形態の制駆動力制御装置１では、車幅方向への加速度の絶対値（横Ｇ）が増加して運転余裕度が低下すると、加減速ペダル２２の開度が中立点未満の範囲において、加減速ペダル２２の開度と減速度との関係を示す傾きを変化させる。これにより、加減速ペダル２２の開度が中立点未満の範囲において、加減速ペダル２２の開度に応じて車両Ｖに発生させる減速度を減少させる。このため、加減速ペダル２２の開度が中立点未満の範囲において、加減速ペダル２２の開度に対する、車両Ｖに発生させる減速度の分解能を向上させることが可能となる。
【００９３】
すなわち、本実施形態の制駆動力制御装置１では、減速度特性算出部２８及び目標減速度算出部３０が、Ｇセンサ６が検出した横Ｇが横Ｇ閾値を超えると、検出した横Ｇと横Ｇ閾値との偏差に応じて、初期制動力指令値を小さく補正する。具体的には、減速度特性算出部２８及び目標減速度算出部３０が、Ｇセンサ６が検出した横Ｇが横Ｇ閾値を超えると、検出した横Ｇと横Ｇ閾値との偏差が大きいほど、初期制動力指令値を小さく補正する。
【００９４】
なお、上記の説明では、一例として、車輪グリップ値を横Ｇとし、運転余裕度を横Ｇの大きさに応じて設定した場合について説明したが、車輪グリップ値は、横Ｇに限定するものではない。すなわち、車輪グリップ値をμ勾配とし、運転余裕度をμ勾配の大きさに応じて設定してもよい。この場合、走行中の車両Ｖに発生するμ勾配が小さいほど車輪グリップ値が小さくなり、運転余裕度が減少することとなる。これは、μ勾配がμ勾配閾値未満となると、μ勾配が減少するほど、車輪Ｗのスリップ等が発生する可能性が増加し、走行中の車両Ｖに、運転者の意図しない制動不良等の挙動が発生する可能性が増加するためである。また、この場合、μ勾配閾値は、予め設定した車輪グリップ閾値に対応する。すなわち、μ勾配がμ勾配閾値未満となる状態は、車輪グリップ値が減少して、予め設定した車輪グリップ閾値未満となる状態に対応する。
また、車輪グリップ値を横Ｇ及びμ勾配とし、運転余裕度を横Ｇ及びμ勾配の大きさに応じて設定してもよい。この場合、走行中の車両Ｖに発生する横Ｇが大きく、また、μ勾配が小さいほど車輪グリップ値が小さくなり、運転余裕度が減少することとなる。
【００９５】
（動作）
次に、図１から図１４を参照しつつ、図１５を用いて、本実施形態の制駆動力制御装置１を用いて行なう動作の一例を説明する。
図１５は、本実施形態の制駆動力制御装置１を用いて行なう動作のフローチャートである。
【００９６】
図１５中に示すように、制駆動力制御装置１を用いて行なう動作を開始（ＳＴＡＲＴ）すると、まず、ステップＳ３００において、運転者による加減速ペダル２２の開度（操作量）を検出する処理（図中に示す「Ｄｒアクセルペダル操作量検出」）を行う。ステップＳ３００において、加減速ペダル２２の開度を検出する処理を行うと、制駆動力制御装置１を用いて行なう動作は、ステップＳ３０２へ移行する。
【００９７】
ステップＳ３０２では、車両Ｖの状態（μ勾配、車体の横方向への加速度（横Ｇ）、車体の前後方向への加速度（前後Ｇ））を取得する処理（図中に示す「車両状態取得」）を行う。ステップＳ３０２において、車両Ｖの状態を取得する処理を行うと、制駆動力制御装置１を用いて行なう動作は、ステップＳ３０４へ移行する。
ステップＳ３０４では、最大減速度設定値を算出する処理（図中に示す「最大減速度設定値算出」）を行う。ステップＳ３０４において、最大減速度設定値を算出する処理を行うと、制駆動力制御装置１を用いて行なう動作は、ステップＳ３０６へ移行する。
【００９８】
ステップＳ３０６では、中立点を基準とした、加減速ペダル２２の踏み込み操作量を算出する処理（図中に示す「制駆動力算出用アクセル開度算出」）を行う。ステップＳ３０６において、中立点を基準とした加減速ペダル２２の踏み込み操作量を算出する処理を行うと、制駆動力制御装置１を用いて行なう動作は、ステップＳ３０６へ移行する。
ステップＳ３０８では、目標減速度を算出する処理（図中に示す「目標減速度算出」）を行う。ステップＳ３０８において、目標減速度を算出する処理を行うと、制駆動力制御装置１を用いて行なう動作は、ステップＳ３１０へ移行する。
【００９９】
ステップＳ３１０では、駆動力指令値を算出する処理（図中に示す「駆動力指令値算出」）を行う。ステップＳ３１０において、駆動力指令値を算出する処理を行うと、制駆動力制御装置１を用いて行なう動作は、ステップＳ３１２へ移行する。
ステップＳ３１２では、制動力指令値を算出する処理（図中に示す「制動力指令値算出」）を行う。ステップＳ３１２において、制動力指令値を算出する処理を行うと、制駆動力制御装置１を用いて行なう動作を終了（ＥＮＤ）する。
【０１００】
なお、上述した加減速ペダル２２は、制駆動力操作子に対応する。
また、上述したアクセル操作量センサ２は、操作子操作量検出部に対応する。
また、上述した制駆動力コントローラ１２は、制駆動力制御部に対応する。
また、上述した減速度特性算出部２８は、車輪グリップ値検出部に対応する。
また、上述した目標減速度算出部３０は、初期制動力指令値補正部に対応する。
【０１０１】
また、上述した実測横加速度信号が含む車幅方向への加速度の絶対値（横Ｇの絶対値）、及び路面μ信号が含むμ勾配は、車輪グリップ値に対応する。
また、上述した横Ｇ閾値及びμ勾配閾値は、車輪グリップ閾値に対応する。
また、上述したＧセンサ６は、車幅方向加速度検出部に対応する。
また、上述した車輪速センサ８及びμ勾配算出部１０は、μ勾配検出部に対応する。
【０１０２】
また、上述したように、本実施形態の制駆動力制御装置１の動作で実施する制駆動力制御方法では、加減速ペダル２２の開度と、車輪Ｗのグリップ性能に応じた値である車輪グリップ値を検出する。そして、検出した車輪グリップ値が予め設定した車輪グリップ閾値未満となると、検出した挙動と車輪グリップ閾値との偏差が大きいほど、中立点未満の制動範囲で、上述したベース特性の最大減速度定数である初期制動力指令値を小さく補正する。
【０１０３】
（第一実施形態の効果）
本実施形態の制駆動力制御装置１であれば、以下に記載する効果を奏することが可能となる。
（１）目標減速度算出部３０が、車輪グリップ値（横Ｇの絶対値、μ勾配）が車輪グリップ閾値（横Ｇ閾値、μ勾配閾値）未満となると、中立点未満の制動範囲で、車輪グリップ値と車輪グリップ閾値との偏差が大きいほど、初期制動力指令値を小さく補正する。
このため、車輪Ｗのグリップ性能が低下し、車輪グリップ値が車輪グリップ閾値未満となると、車輪グリップ値と車輪グリップ閾値との偏差が大きいほど、制動範囲において、加減速ペダル２２の開度に対する減速度の変化度合いを減少させることが可能となる。
【０１０４】
その結果、中立点未満の制動範囲で、加減速ペダル２２の開度に対する減速度の増加量を減少させて、減速度の増加により不安定な挙動が発生すると予測した運転者に対し、減速度の操作を能動的に行いやすくさせることが可能となる。すなわち、車両Ｖの走行中に車輪Ｗのグリップ性能が低下した場合であっても、減速度の増加により不安定な挙動が発生すると予測した運転者に対し、減速度の操作を能動的に行いやすくさせることが可能となる。
【０１０５】
また、中立点未満の制動範囲で、加減速ペダル２２の開度に対する減速度の変化度合いを減少させることが可能となるため、加減速ペダル２２の開度に対する、車両Ｖに発生させる減速度の分解能を向上させることが可能となる。
これにより、加減速ペダル２２の開度に対する減速度の変化度合いを変化させない場合と比較して、車両Ｖに発生させる減速度を一定の範囲に維持するための、加減速ペダル２２の開度を維持する操作が容易となる。また、加減速ペダル２２の開度に対する減速度の変化度合いを変化させない場合と比較して、車両Ｖに発生させる減速度の、加減速ペダル２２の操作による調節が容易となる。
また、中立点以上の駆動範囲における加減速ペダル２２の開度と車両Ｖに発生させる加速度との関係は変化させないため、再加速時の加速性能の低下を抑制することが可能となる。
【０１０６】
（２）制駆動力コントローラ１２が、目標減速度算出部３０が加減速ペダル２２の開度が中立点未満の制動範囲内で初期制動力指令値を小さく補正すると、加減速ペダル２２の開度が増加した時点で、小さく補正した初期制動力指令値に応じて制動力指令値を設定する。
このため、加減速ペダル２２の開度が中立点未満の制動範囲において、加減速ペダル２２の開度を増加させると、加減速ペダル２２の開度の増加に応じた加速度を増加させることが可能となる。
その結果、加減速ペダル２２の開度が中立点以上の駆動範囲において、加減速ペダル２２の操作により車両Ｖに発生させる加速度が加速意図に不足する場合、加減速ペダル２２の踏み込み量を増加させることにより、不足分の加速度を補うことが可能となる。
【０１０７】
（３）制駆動力コントローラ１２が、目標減速度算出部３０が加減速ペダル２２の開度が中立点未満の制動範囲内で初期制動力指令値を小さく補正すると、加減速ペダル２２の開度が減少した時点で、小さく補正した初期制動力指令値に応じて制動力指令値を設定する。
このため、中立点未満の制動範囲において、加減速ペダル２２の開度のうち、車両Ｖに減速度が発生しない範囲を無くすことが可能となる。
その結果、加減速ペダル２２の開度が中立点未満の制動範囲の全域において、運転者による減速意図を、車両Ｖの挙動に反映させることが可能となる。
【０１０８】
（４）制駆動力コントローラ１２が、目標減速度算出部３０が加減速ペダル２２の開度が中立点未満の制動範囲内で一定値に維持された状態で初期制動力指令値を小さく補正すると、以下のように制動力指令値を設定する。すなわち、加減速ペダル２２の開度が減少して補正前の初期制動力指令値に応じた開度から小さく補正した初期制動力指令値に応じた開度となるまでは、車両Ｖに発生させる制動力を維持するように制動力指令値を設定する。
このため、中立点未満の制動範囲において、加減速ペダル２２の開度のうち、車両Ｖに減速度が発生しない範囲を無くすことが可能となる。
その結果、加減速ペダル２２の開度が中立点未満の制動範囲の全域において、運転者による減速意図を、車両Ｖの挙動に反映させることが可能となる。
【０１０９】
（５）目標減速度算出部３０が、加減速ペダル２２の開度に応じて設定する制動力指令値が小さく補正した初期制動力指令値に応じて設定する制動力指令値を超えていると、初期制動力指令値を保持する。この処理は、車輪グリップ値（横Ｇの絶対値、μ勾配）が車輪グリップ閾値（横Ｇ閾値、μ勾配閾値）未満となった時点で行う。
その結果、運転者による減速意図に対し、車両Ｖに発生させる制動力の低下を抑制することが可能となる。
【０１１０】
（６）減速度特性算出部２８が、Ｇセンサ６が検出した加速度（横Ｇ）に基づいて、車輪グリップ値である車幅方向への加速度の絶対値を検出する。
その結果、車輪Ｗのグリップ性能に応じた値である車輪グリップ値を、走行中の車両Ｖに、運転者の意図しない旋回等の挙動が発生する可能性に基づいて検出することが可能となる。
【０１１１】
（７）減速度特性算出部２８が、車輪速センサ８及びμ勾配算出部１０が検出したμ勾配に基づいて、車輪グリップ値であるμ勾配を検出する。
その結果、車輪Ｗのグリップ性能に応じた値である車輪グリップ値を、車輪Ｗのスリップ等が発生する可能性と、走行中の車両Ｖに、運転者の意図しない制動不良等の挙動が発生する可能性に基づいて検出することが可能となる。
【０１１２】
（８）減速度特性算出部２８が、Ｇセンサ６が検出した加速度（横Ｇ）と、車輪速センサ８及びμ勾配算出部１０が検出したμ勾配に基づいて、車輪グリップ値である車幅方向への加速度の絶対値とμ勾配を検出する。
その結果、車輪グリップ値を、走行中の車両Ｖに、運転者の意図しない旋回等の挙動が発生する可能性と、車輪Ｗのスリップ等が発生する可能性と、走行中の車両Ｖに、運転者の意図しない制動不良等の挙動が発生する可能性に基づいて検出することが可能となる。
【０１１３】
（９）本実施形態の制駆動力制御装置１の動作で実施する制駆動力制御方法では、車輪グリップ値が車輪グリップ閾値未満となると、中立点未満の制動範囲で、車輪グリップ値と車輪グリップ閾値との偏差が大きいほど、初期制動力指令値を小さく補正する。
このため、車輪Ｗのグリップ性能が低下し、車輪グリップ値が車輪グリップ閾値未満となると、車輪グリップ値と車輪グリップ閾値との偏差が大きいほど、制動範囲において、加減速ペダル２２の開度に対する減速度の変化度合いを減少させることが可能となる。
その結果、中立点未満の制動範囲で、加減速ペダル２２の開度に対する減速度の増加量を減少させて、減速度の増加により不安定な挙動が発生すると予測した運転者に対し、減速度の操作を能動的に行いやすくさせることが可能となる。すなわち、車両Ｖの走行中に車輪Ｗのグリップ性能が低下した場合であっても、減速度の増加により不安定な挙動が発生すると予測した運転者に対し、減速度の操作を能動的に行いやすくさせることが可能となる。
【０１１４】
また、中立点未満の制動範囲で、加減速ペダル２２の開度に対する減速度の変化度合いを減少させることが可能となるため、加減速ペダル２２の開度に対する、車両Ｖに発生させる減速度の分解能を向上させることが可能となる。
これにより、加減速ペダル２２の開度に対する減速度の変化度合いを変化させない場合と比較して、車両Ｖに発生させる減速度を一定の範囲に維持するための、加減速ペダル２２の開度を維持する操作が容易となる。また、加減速ペダル２２の開度に対する減速度の変化度合いを変化させない場合と比較して、車両Ｖに発生させる減速度の、加減速ペダル２２の操作による調節が容易となる。
また、中立点以上の駆動範囲における加減速ペダル２２の開度と車両Ｖに発生させる加速度との関係は変化させないため、再加速時の加速性能の低下を抑制することが可能となる。
【０１１５】
（変形例）
（１）本実施形態では、動力ユニット２０を、エンジンを用いて形成したが、動力ユニット２０の構成は、これに限定するものではない。すなわち、動力ユニット２０を、例えば、モータを用いて形成してもよく、また、エンジン及びモータを用いて形成してもよい。
（２）本実施形態では、制駆動力操作子を運転者が足で踏み込み操作する加減速ペダル２２としたが、制駆動力操作子の構成は、これに限定するものではない。すなわち、例えば、制駆動力操作子を、運転者が手で操作するレバーとしてもよい。
【符号の説明】
【０１１６】
１    制駆動力制御装置
２    アクセル操作量センサ
４    ブレーキ操作量センサ
６    Ｇセンサ
８    車輪速センサ
１０  μ勾配算出部
１２  制駆動力コントローラ
１４  ブレーキアクチュエータ
１６  ホイールシリンダ
１８  動力コントロールユニット
２０  動力ユニット
２２  加減速ペダル
２４  制動用ペダル
２６  制駆動力算出用ペダル開度算出部
２８  減速度特性算出部
３０  目標減速度算出部
３２  駆動力算出部
３４  制動力算出部
３６  最大減速度第一補正係数算出部
３８  最大減速度第二補正係数算出部
４０  選択用減速度定数生成部
４２  減速度特性設定部
Ｖ    車両
【図１】
2015098224.tif 000003
【図２】
2015098224.tif 000004
【図３】
2015098224.tif 000005
【図４】
2015098224.tif 000006
【図５】
2015098224.tif 000007
【図６】
2015098224.tif 000008
【図７】
2015098224.tif 000009
【図８】
2015098224.tif 000010
【図９】
2015098224.tif 000011
【図１０】
2015098224.tif 000012
【図１１】
2015098224.tif 000013
【図１２】
2015098224.tif 000014
【図１３】
2015098224.tif 000015
【図１４】
2015098224.tif 000016
【図１５】
2015098224.tif 000017